(57)【特許請求の範囲】
【請求項１】
インターネットＥメールメッセージを移動無線通信網（１０）から受信待機モードで受信するための受信装置（５）を有する移動遠隔通信端末機器において、
問い合わせ動作モードが移動遠隔通信端末機器（１）で調整可能であり、
該問い合わせ動作モードでは、受信待機モードが遮断されている場合に対して、制御部（１５）が少なくとも第１所定時間に対して規則的時間間隔で受信待機モードを作動し、
前記制御部（１５）は、前記受信待機モードの作動後の第２所定時間内に、移動無線通信網（１０）に当該移動遠隔通信端末機器（１）に対するインターネットＥメールメッセージが存在するという情報が受信装置（５）で受信されたか否かを検査し、
前記制御部（１５）は、当該制御部が移動無線通信網（１０）に当該移動遠隔通信端末機器（１）に対して少なくとも１つのインターネットＥメールメッセージが存在するという情報を検知した場合に対して、該少なくとも１つのインターネットＥメールメッセージの評価を開始し、
当該評価の際に前記制御部（１５）は、受信待機モードの遮断後に作動された当該受信待機モードに対し時間をずらし、入力ユニット（２０）において設定可能な第４所定時間で、移動遠隔通信端末機器（１）の送信装置（３０）を介して移動無線通信網（１０）への接続を形成し、少なくとも１つのインターネットＥメールメッセージを移動無線通信網（１０）から移動遠隔通信端末機器（１）へロードする、
ことを特徴とする移動遠隔通信端末機器。
【請求項２】
制御部（１５）は受信待機モードを最も早くても、受信待機モードのアクティベートからの第３所定時間後に再び遮断する、請求項１記載の移動遠隔通信端末機器。
【請求項３】
メッセージ評価は、メッセージタイプに依存して、移動遠隔通信端末機器（１）の入力ユニット（２０）を介して設定される、請求項１または２項記載の移動遠隔通信端末機器。
【請求項４】
少なくとも１つの別のメッセージ評価では、インターネットＥメールメッセージを移動遠隔通信端末機器（１）へロードしない、請求項３記載の移動遠隔通信端末機器。
【請求項５】
少なくとも１つのインターネットＥメールメッセージの評価は、移動遠隔通信端末機器（１）の再生装置（２５）における音響的および／または光学的シグナリングを含む、請求項１から４までのいずれか１項記載の移動遠隔通信端末機器。
【請求項６】
制御部（１５）はシグナリングを、受信待機モードの遮断を越えて維持する、請求項５記載の移動遠隔通信端末機器。
【請求項７】
制御部（１５）は問い合わせ動作モードで、少なくとも１つの第１所定時間を、移動遠隔通信端末機器（１）の電池（３５）のちょうど存在する容量に依存して受信待機モードを作動するために設定する、請求項１から６までのいずれか１項記載の移動遠隔通信端末機器。
【請求項８】
制御部（１５）は問い合わせ動作モードで、受信待機モードをアクティベートするための少なくとも１つの第１所定時間を、最後に調整された受信待機モードで達成された移動遠隔通信端末機器（１）の移動無線通信網（１０）における到達性に依存して設定する、請求項１から７までのいずれか１項記載の移動遠隔通信端末機器。
【発明の詳細な説明】
【０００１】
従来の技術
本発明は、請求項１の上位概念記載の移動遠隔通信端末機器から出発する。
【０００２】
ＧＳＭ規格（Global System for Mobile Communication）にしたがって構成された移動無線システムでは、いわゆるＳＭＳ（Short Message Service）が公知である。移動無線網を介して到達可能であり、移動無線網にログインする移動電話は受信待機モードにある。この受信待機モードでは受信装置を介してＳＭＳショートメッセージを移動無線網から受信することができる。
【０００３】
発明の利点
請求項１の構成を有する本発明の移動遠隔通信端末機器はこれに対して、問い合わせ動作モードを移動遠隔通信端末機器で調整でき、このモードにおいては受信待機モードが遮断されている場合に対して、制御部が少なくとも第１の所定時間で、受信待機モードをアクティブにし、この制御部が受信待機モードのアクティブ化後の第２の所定時間内に、遠隔通信網にこの移動遠隔通信端末機器に対して少なくとも１つのメッセージが存在しているという情報が受信装置で受信されたか否かを検査する。このようにして移動遠隔通信端末機器は、少なくとも第１の所定時間で自動的に受信待機モードに切り替わり、遠隔通信網にログインすることができる。従って移動遠隔通信端末機器は常時、受信待機モードで動作し、遠隔通信網からのメッセージの受信を検知できるようにする必要がない。移動遠隔通信端末機器は少なくとも第１の所定時間で自動的に受信待機モードに切り替わり、その間に１つまたは複数のメッセージが遠隔通信網にこの移動遠隔通信端末機器に対して存在するか否かを検査する。移動遠隔通信端末機器のユーザが受信待機モードを遮断し、例えば到来するコールにより邪魔されないようにしたり、または運転時間を延長する場合であっても、ユーザは自分にアドレシングされたメッセージの到着について通知される。移動遠隔通信端末機器はこの目的のために本発明により受信待機モードで常時動作する必要がないから、エネルギーを節約することができ、電池動作の場合に動作持続時間を延長することができる。しかもその際に、移動遠隔通信端末機器に対して遠隔通信網にメッセージが存在しているという通知を諦める必要ながない。
【０００４】
従属請求項に記載された手段によって、請求項１に記載された移動遠隔通信端末機器の有利な改善および発展が可能である。
【０００５】
特に有利には制御部は、受信待機モードを早くても、受信待機モードのアクティベートからの第３の所定時間後に再び遮断する。このようにして、寿新滝モードが自動的スイッチオンの後に持続的にアクティブになるのを阻止し、エネルギーを節約することができる。
【０００６】
さらに有利には、制御部が受信待機モードを最も早くても、移動遠隔通信端末機器に対して遠隔通信網に存在するすべてのメッセージを評価した後に再び遮断する。このようにして受信待機モードに対する動作持続時間が十分に最適化され、これがメッセージの評価に対して必要であるよりも長く、または短く選択されることがない。このようにして一方では申し分のない評価が達成され、他方では最大で可能なエネルギー節約が受信待機モードをメッセージの評価後に遮断することにより達成される。
【０００７】
さらに有利には、制御部は、これが遠隔通信網に移動遠隔通信端末機器に対して少なくとも１つのメッセージが存在するという情報の受信を検知した場合に対して、少なくとも１つのメッセージの評価を開始する。このようにして移動遠隔通信端末機器に対して遠隔通信網に存在するメッセージを自動的に、すなわちユーザの操作なしで、従ってユーザにはとりわけ快適にさらに処理することができる。
【０００８】
さらに有利には、評価の形式をとりわけメッセージタイプに依存して、移動遠隔通信端末機器の入力ユニットを介して設定することができる。このようにして制御部による自動評価をユーザの必要性に適合することができる。
【０００９】
さらに有利には、少なくとも１つのメッセージの評価は、移動遠隔通信端末機器の再生装置での音響的および／または光学的シグナリングを含む。このようにして移動遠隔通信端末機器のユーザは自分に対して遠隔通信網に存在する１つまたは複数のメッセージについて通知される。
【００１０】
さらに有利には、制御部は受信待機モードの遮断についての通知を維持する。このようにして、ユーザは少なくとも１つのメッセージの存在について通知されることが保証される。これはとりわけ、通知がユーザ操作によって終了できる場合である。
【００１１】
さらに有利には、制御部は少なくとも１つのメッセージの評価の際に、移動遠隔通信端末機器の送信装置を介して、遠隔通信網への接続をとりわけ第４の所定時間で形成し、これにより少なくとも１つのメッセージを遠隔通信網から移動遠隔通信端末機器にロードする。このようにして、移動遠隔通信端末機器のユーザに対して遠隔通信網に存在する１つまたは複数のメッセージを自動的に、すなわちユーザ操作なしで遠隔通信網から移動遠隔通信端末機器に伝送し、移動遠隔通信端末機器で再生することができる。従ってユーザはこのメッセージの内容について通知される。
【００１２】
さらに有利には、制御部は問い合わせ動作モードで、受信待機モードをアクティブ化するための少なくとも１つの第１の所定時間を、移動遠隔通信端末機器の蓄電池のちょうど存在する容量に依存して設定する。このようにして蓄電池の容量が過度に急速に減少することが阻止される。このことは、受信待機モードを問い合わせ動作モードでは比較的稀に、すなわち比較的に大きな時間間隔をおいてスイッチオンすることにより達成される。これにより移動遠隔通信端末機器の動作持続時間が延長され、エネルギーが節約される。反対に蓄電池の容量が十分である場合には、受信待機モードが問い合わせ動作モードにおいて時間的に短い間隔でスイッチオンされる。これにより移動遠隔通信端末機器に対して遠隔通信網に到来するメッセージをできるだけ早期に問い合わせることができる。
【００１３】
さらに有利には、制御部は問い合わせ動作モードで受信待機モードを規則的時間間隔でアクティベートする。このようにして、移動遠隔通信端末機器に対して遠隔通信網に到来するメッセージが遅かれ早かれ検知されることが保証される。しかもそのために受信待機モードを恒久的にスイッチオンする必要がない。
【００１４】
さらに有利には制御部は、問い合わせ動作モードで受信待機モードをアクティベートするための第１の所定時間を、最後に調整された受信待機モードで得られた、遠隔通信網における移動遠隔通信端末機器の到達可能性に依存して設定する。このようにして、例えば到達可能性が悪いとき、または移動遠隔通信端末機器に遠隔通信網で到達できないときに、問い合わせ動作モードでも受信待機モードの頻繁なアクティベートが調整される。これにより、移動遠隔通信端末機器に対して遠隔通信網にメッセージが存在することについての検査が、移動遠隔通信端末機器に遠隔通信網において到達可能性が欠けていることにより失敗した場合にできるだけ早期に、移動遠隔通信端末機器に遠隔通信網で再度到達可能になった後、検査を繰り返すことができる。到達可能性が再び保証されれば、問い合わせ動作モードでの受信待機モードに対するアクティベート時点間の時間間隔を再び元の所定値に、アクティベートが規則的時間間隔で行われる場合には高めることができる。
【００１５】
図面
本発明の実施例が図面に示されており、以下詳細に説明する。
【００１６】
図１は、本発明の移動遠隔通信端末機器のブロック回路図である。
【００１７】
図２は、移動遠隔通信端末機器の制御部の機能に対するフローチャートである。
【００１８】
図３ａは、移動遠隔通信端末機器に対して遠隔通信網に存在するメッセージを評価する第１の形式に対するフローチャートである。
【００１９】
図３ｂは、移動遠隔通信端末機器に対して遠隔通信網に存在するメッセージを評価する第２の形式に対するフローチャートである。
【００２０】
実施例の説明
基本的に移動無線網の移動遠隔通信端末機器には、これがこの移動無線網にログインした場合に到達可能である。例えばスイッチオフされている、または受信待機モードに切り換えられていない、または受信技術的理由から移動遠隔通信端末機器と移動無線網の基地局との間で接続が形成されていないなどの理由でログインしていない場合には、移動遠隔通信端末機器に対して移動無線網で到来するコールをリルーティングすることができる。すなわち例えばこれが音声コールないし音声メッセージの場合にはいわゆるボイスメールボックスにリルーティングすることができる。従ってボイスメールボックスは移動無線網での応答マシンである。移動遠隔通信端末機器ないしそのユーザはさらに移動無線網に再び到達可能になると直ちに、到来したコールについて通知され、ボイスメールボックスを相応に問い合わせることができる。移動遠隔通信端末機器への、移動無線網にこの移動遠隔通信端末機器に対して到来したコール、または移動無線網にこの移動遠隔通信端末機器に対して到来したメッセージについての通知は、現在通常のショートメッセージサービスを介して行われる。これは例えばＧＳＭ規格（Global System for Mobile Communication）におけるＳＭＳ規格（Short Message Service）に従って構成された移動無線網である。
【００２１】
ＳＭＳ規格によるショートメッセージサービスは、いわゆる「ストア・アンド・フォワード」の原理に基づく。すなわち、メッセージは基本的にネットワークユニットを介して移動無線網で送信される。このネットワークユニットは例えばＧＳＭ規格に従いサービスセンタとして構成することができ、各メッセージを一度記憶してから、アドレシングされた受信機へさらに伝送する。アドレシングされた受信機が移動無線網において移動遠隔通信端末機器の形態で使用することができなければ（なぜならこれが移動無線網で到達不可であるか、またはログインしていないことにより）、この移動遠隔通信端末機器にアドレシングされたメッセージはネットワークユニットに記憶されたままである。そしてこの受信機が移動無線網で再び使用可能となると、このことがネットワークユニットに例えばいわゆるＨＬＲ（Home Location Register）によりシグナリングされ、この受信機にアドレシングされたメッセージは自動的にこの受信機にさらに伝送される。この形式のショートメッセージサービスは、移動遠隔通信端末機器のに、この移動遠隔通信端末機器に対して他のサービス、例えばインターネットＥメールサーブスからのメッセージが遠隔通信網に存在することを通知するのにも使用できる。
【００２２】
本発明によれば、例えば所定の時間インターバルで自動的に受信待機モードに切り換えられ、遠隔通信網にログインする移動遠隔通信端末機器が提案される。受信待機モードは必要である限りアクティブ状態に留まる。すなわち、遠隔通信網にこの移動遠隔通信端末機器に対して存在するすべてのメッセージが、遠隔通信網のネットワークユニットからこの移動遠隔通信端末機器に伝送されるまでアクティブ状態に留まる。メッセージを受信した後、オプションとして、移動遠隔通信端末機器は自動的に受信待機モードを再び遮断することができる。
【００２３】
図１にはこのような移動遠隔通信端末機器が参照符号１により示されている。これは例えば移動電話とすることができる。移動遠隔通信端末機器１はここで遠隔通信網１０の加入者であり、遠隔通信網は例えば移動無線網として構成することができる。以下例として、移動遠隔通信端末機器１は移動電話として、遠隔通信網１０は移動無線網として構成されていることを前提とする。移動無線網１０と移動電話１はここで例えばＧＳＭ規格（Global System for Mobile Communication）またはＵＭＴＳ規格（Universal Mobile Telecommunication System）にしたがって構成することができる。移動電話１は制御部１５を有し、この制御部には入力ユニット２０と再生装置２５が接続されている。再生装置２５は音響的および／または光学的再生装置とすることができる。このために再生装置２５はスピーカおよび／または１つまたは複数の光学的表示素子を有している。ここで光学的表示素子として発光ダイオードおよび／またはディスプレイを設けることができる。移動電話１はさらに送信装置３０と受信装置５を有しており、これらは両方とも制御部１５に接続されている。移動電話１はさらに例えば電池として構成された電流供給部３５を有する。この電流供給部は移動電話１の素子に図示していないが電流を供給する。以下、電流供給部３５は例として電池として構成されているとする。ここで電池３５は制御部１５に、電池の瞬時容量についての情報を含む信号を出力する。送信装置３０には送信アンテナ４０が接続されている。受信装置５には受信アンテナ４５が接続されている。送信アンテナ４０と受信アンテナ４５は共通の送受信アンテナに例えばアンテナ分波器を介して組み合わせることができる。送信装置３０と受信装置５を介して移動電話１は信号を移動無線網１０と交換することができる。
【００２４】
入力ユニット２０を介して移動電話１は受信待機モードに切り替えられる。受信待機モードでは制御部１５が送信装置３０を介して、移動電話１を移動無線網１０でログインし、この移動電話１に対して到来するコールまたはメッセージを受信できるようにする。移動電話１は受信待機モードで、そのような到来するコールまたはメッセージを移動無線網１０から受信することができる。
【００２５】
移動電話１は次に例えば入力ユニット２０でのユーザ入力によって問い合わせ動作モードに切り換えられる。問い合わせ動作モードでは制御部１５は、受信待機モードが遮断されている場合に対して、少なくとも１つの第１所定時間で受信待機モードをアクティベートする。このために制御部１は移動電話１を移動無線網１でログインし、受信待機モードのアクティベート後の第２の所定時間内において、この移動電話１に対して移動無線網１０に少なくとも１つのメッセージが存在するという情報が移動無線網１０のネットワークユニットから受信装置５で受信アンテナ４５を介して受信されたか否かを検査する。受信待機モードをアクティベートするための少なくとも１つの第１所定時間は、移動電話１のユーザにより入力ユニット２０で設定することができる。ここでは、問い合わせ動作モードで調整された受信待機モードは、これがユーザにより入力ユニット２０で再び遮断されるまで維持される。しかし、問い合わせ動作モードでスイッチオンされた受信待機モードを自動的に所定時間後に再び遮断し、エネルギーを節約することもできる。このために制御部１５は例えば時限素子を有し、この時限素子は受信待機モードを早くても、受信待機モードのアクティベート後の第３の所定時間後に再び遮断する。ここで第３の所定時間は、この移動電話１に対して移動無線網１０にメッセージが存在することを検知する際に、このメッセージの完全な評価が制御部１５により可能であるように選定すべきである。ただしこれは、この評価がデータを移動無線網１０から受信することを要求する場合である。従って、制御部１５は受信待機モードを最も早くても、この移動電話１に対して移動無線網１０に存在するすべてのメッセージを評価した後に再び遮断する。ここではすでに説明したように、評価を一部だけ行うも考えられる。すなわち一部とは、アクティベートされた受信待機モード、言い替えると移動電話１の移動無線網１０でのログイン、および移動電話１の移動無線網１０でのメッセージの受信のための到達可能性の評価である。さらなる評価ステップは、受信待機モードが遮断されていても行うことができる。受信待機モードに比較的長く留まることは、所望のエネルギー節約の点から意味のないことである。従って第３の所定時間がまず、制御部１５の時限素子によって少なくとも次のように調整される。すなわち制御部１５が受信待機モードのアクティベート後に、移動無線網１０から受信された情報に基づいて、どれだけのメッセージがこの移動電話１に対して移動無線網１０に存在するかを評価できるように調整される。第３の所定時間は次に、制御部１５により、この移動電話１に対して移動無線網１０に存在するメッセージの数に依存して次のように延長される。すなわち所望される場合に、このメッセージがすべて受信待機モードのアクティベート時に移動無線網１０から移動電話１へロードすることができるように延長される。このために制御部１５は、このようなメッセージのロードに少なくとも必要な時間とこの移動電話１に対して存在するメッセージの数から、時限素子の時定数を次のように調整する。すなわち移動電話１に対して存在するすべてのメッセージがこのようにして移動電話１へ受信待機モードでロードすることができるように調整する。移動電話１にロードされたメッセージは次に図１に図示しないメモリに、さらなる処理のため中間記憶される。
【００２６】
メッセージを移動無線網１０から移動電話１へロードするために必要な時間の検出のために制御部１５は、１つまたは複数のメッセージがこの移動電話１に対して移動無線網１０に存在するという情報と共に、それぞれのメッセージタイプおよび／またはそれぞれのメッセージ形式についてのデータ、およびこの移動電話１に対して存在するメッセージのそれぞれのメッセージサイズを受け取らなければならない。メッセージを移動無線網１０から移動電話１へロードするのに必要な時間は、ロードすべきメッセージのタイプおよび／または形式および大きさに依存する。従って移動電話１のユーザは入力ユニット２０によって、どの大きさまで移動電話１に対して存在するメッセージを移動無線網１０から移動電話１へ伝送すべきかを設定し、受信待機モードのアクティベートに対する時間を制限したり、エネルギーを節約したりすることができる。しかし付加的にまたは択一的に、制御部１５でどの大きさまでメッセージを移動無線網１０から移動電話１へロードすべきかを予調整することもできる。ここで許容されるメッセージサイズはメッセージタイプおよび／またはメッセージ形式に依存して入力ユニット２０で設定されるか、または制御部１５で予調整することができる。
【００２７】
すでに述べたように、制御部１５は受信待機モードで、移動無線網１０にこの移動電話１に対して少なくとも１つのメッセージが存在するという情報の、受信装置５による受信をデアクティベートしている場合に対して、少なくとも１つのメッセージの評価を開始することができる。この場合は、開始すべき評価の形式を移動電話１のユーザにより入力ユニット２０で設定することができる。付加的にまたは択一的に、評価の形式の制御部１５で予調整することもできる。ここで評価の形式はメッセージタイプおよび／またはメッセージ形式に依存してユーザにより入力ユニット２０で設定することも、または制御部１５で予調整することもできる。移動電話１に対して移動無線網１０に存在する少なくとも１つのメッセージの評価の可能な形式は、制御部１５が送信装置３０を介して移動無線網１０への接続を形成し、少なくとも１つのメッセージを移動無線網１０から移動電話１へロードできるかということである。
【００２８】
移動無線網１０から移動電話１へ通知される、移動無線網１０にこの移動電話１に対してメッセージが存在するという情報と共に同時に、このメッセージのタイプおよび／または形式についても情報を通知することができる。この場合、制御部１５で移動電話１の処理可能性に依存して、１つまたは複数のタイプおよび／またはは形式のメッセージを移動電話１へ、移動電話１がこのメッセージのさらなる処理、とりわけ再生装置２５での再生が不可能であるという理由でロードすべきでないということを予調整できる。付加的にユーザにより、１つまたは複数の所定タイプおよび／または形式のメッセージを例えばエネルギー節約のために伝送すべきでないことを設定できる。これは所定タイプおよび／または形式のメッセージを移動無線網１０から移動電話１へ伝送するのに特に時間、ひいてはエネルギーがかかる場合である。
【００２９】
メッセージタイプとして、テキストメッセージ、音声メッセージまたはビデオメッセージをそれぞれ種々異なる形式で設けることができる。ここで既述の評価はすでに説明したように、メッセージ形式に依存して実行することができる。これにより、ユーザは入力ユニット２０で評価の形式をメッセージ形式にも依存して設定することができる。または評価の形式を制御部１５でメッセージ形式に依存して設定することができる。種々異なるメッセージ形式が種々異なるメッセージタイプと同じように、当該メッセージを移動無線網１０から移動電話１へロードするのに種々異なる時間を有する場合もある。なぜならこれらは相応のメッセージの伝送構造、およびひいては単位時間当たりに伝送されるメッセージの有効データを設定するからである。
【００３０】
音声メッセージは例えばボイスメールの形式で移動無線網１０のボイスメールボックスに存在することができ、ボイスメールボックスから移動電話１へロードすることができる。既述のロード過程はまた、アクティベートされた受信待機モードに対して時間をずらし、第４の所定時間で行うこともできる。これにより例えば比較的に有利な伝送料金または電界強度条件をメッセージの伝送に使用することができる。
【００３１】
評価の別の簡単な形式では、移動無線網１０に移動電話１に対して存在する目セージを音響的および／または光学的に再生装置２５でシグナリングする。ここでは、制御部１５は受信待機モードの遮断を越えてシグナリングを、所定時間の間、または入力ユニット２０でのユーザ操作まで維持することができる。このようにシグナリングされたメッセージを移動無線網１０から移動電話１へロードすることはユーザにより初期化することができる。光学的シグナリングは例えば発光ダイオードの点滅または１つまたは複数の英数字をディスプレイで表示することにより行うことができる。音響的再生は音響信号、例えばトーンにより行うことができる。
【００３２】
次に受信待機モードを問い合わせ動作モードでアクティベートするための少なくとも１つの第１所定時間をどのように設定できるかを説明する。ここでは制御部１５は、問い合わせ動作モードで受信待機モードを規則的時間間隔でアクティベートすることができる。この時間間隔はユーザにより入力ユニット２０で設定するか、または制御部１５で予調整することができる。従って例えば、問い合わせ動作モードで受信待機モードを５分ごとにアクティベートすることができる。従って受信待機モードを常時アクティベートすることと比較して、エネルギーを節約することができる。もっとも移動電話１に対して到来するメッセージの検知が、この場合は最大で５分遅れることを甘受しなければならない。このエネルギー節約は、電池３５に対して規則的な充電可能性が存在しない場合、例えばキャンプ中、または充電装置を使用できない場合に特に有利である。
【００３３】
付加的または択一的に、制御部１５は問い合わせ動作モードで、受信待機モードをアクティベートするための少なくとも１つの第１所定時間を、ちょうど存在する電池３５の容量に依存して設定することができる。これによりとりわけ、受信待機モードが規則的時間間隔でアクティベートされる問い合わせ動作モードにおいて、この時間間隔を電池３５の容量の減少と共に拡大し、これによりエネルギーを節約し、移動電話１の動作状態をできるだけ長く維持することができる。
【００３４】
さらに制御部１５は問い合わせ動作モードで、受信待機モードをアクティベートするための少なくとも１つの第１所定時間を、最後に調整した受信待機モードで達成された移動電話の移動無線網１０における到達可能性に依存して設定することができる。到達不可能は、移動電話１が受信待機モードにスイッチオンしているのに移動無線網１０から到達できない場合に存在する。これは例えば信号を移動無線網１０から移動電話１で受信するのが困難であるか、またはもはやノイズと区別できないような不利な電界強度条件によるものである。受信待機モードにおける移動電話１の移動無線網１０による到達不可能は、移動電話１が移動無線網１０に対して動作許可を有していない場合にも存在する。従って最後に調整された受信待機モードで移動電話１に移動無線網１０で到達できなかった場合には、できるだけ短時間内に新たな試行をスタートさせ、受信待機モードを再びスイッチオンすることができる。このことはとりわけ、移動電話１の非到達性が、移動電話１において移動無線網から受信される信号の電界強度変動によるものである場合に有利である。非到達性が移動無線網１０にある移動電話の無権限による場合は、受信待機モードの次のスイッチオンまでの比較的に長い時間間隔が有利であり、これにより移動電話１のユーザは移動無線網を変えたり、または動作許可を移動無線網で獲得したりすることができる。この場合制御部１５は、受信装置５で受信された信号から、どのような理由で移動電話１が移動無線網１０で到達不能であるのかを検出することができる。電界強度変動の場合、制御部１５は所定時間内で有利な受信信号を検知しないこととなり、これに対して無権限の場合は、移動無線網からの相応のメッセージを制御部１５により検知できることになる。そして制御部１５は検知された非到達性に依存して、問い合わせ動作モードでの受信待機モードの次のアクティベートに対する時点を設定することができる。
【００３５】
とりわけ受信待機モードを規則的にアクティベートする場合には、移動電話１の移動無線網１０へのアクセスＩＤを移動電話１に記憶しておかなければならないから、移動電話１を前記の問い合わせ動作モードで付加的なＩＤ番号によって不正アクセスから保護するのが有利である。従って移動無線網１０へのアクセスＩＤと移動電話１へのアクセスＩＤとが区別される。
【００３６】
図２は、問い合わせ動作モードでの可能な機能フローチャートを示す。この問い合わせ動作モードはポールモードとも称される。ここで問い合わせインターバルまたはポールインターバルと、オンインターバルおよびオフインターバルとは区別される。オンインターバルは、受信待機モードがスイッチオンされている時間を表す。すなわちこの時間中は移動電話１は移動無線網１０にログインしている。オフインターバルは、受信待機モードがスイッチオフされている時間を表す。問い合わせインターバルはオンインターバルとオフインターバルの和であり、このようにして形成される全体問い合わせサイクルの時間を表す。
【００３７】
オフインターバルが経過しない限り、受信待機モードはスイッチオンされない。従って移動電話１は例えばいわゆるスリープモードにあり、何も起こらない。従って電池３５の容量をほとんど消費しない。プログラム点１００で制御部１５は、オフインターバルが経過したか否かを検査する。経過していれば、プログラム点１０５へ分岐し、それ以外の場合はプログラム点１００へリターンする。オフインターバルの経過後、制御部１５はプログラム点１０５で受信待機モードを、少なくとも１つの第１所定時間に相応する時点でスイッチオンし、送信装置３０を介して移動無線網１０にログインしようとする。このログインプロシージャは、次の理由でログインできない場合、所定時間後に中断すべきである。これは例えば、電界強度条件のため移動無線網１０からの信号が移動電話１で受信されないか、または移動電話１が移動無線網１０に対して権限がないか等が理由の場合である。プログラム点１１０で制御部１５は、ログインが移動無線網１９で成功したか否かを検査する。成功した場合、プログラム点１１５へ分岐し、それ以外に場合はプログラム点１３０へ分岐する。プログラム点１３０で制御部１５は、ログインに対して設定された時間が経過したか否かを検査する。経過した場合にはプログラム点１３５へ分岐し、それ以外の場合はプログラム点１０５へリターンする。プログラム点１３５で制御部１５はエラー処理プロシージャを開始する。このエラー処理プロシージャは移動無線網１０での不成功に終わったログインを処理する。この処理は、例えば再生装置２５でエラー指示し、受信待機モードを次にスイッチオンするまでの時間間隔を短縮する等により行う。続いてプログラム点１２５へ分岐する。移動無線網１０でのログインが成功すると、制御部１５はプログラム点１１５で、所定の通知時間インターバルないし第２の所定時間が受信待機モードのアクティベートから経過したか否かを検査する。この通知時間インターバルないし第２の所定時間は、移動電話１に対して移動無線網１０にメッセージが存在するという情報を含むすべての通知が移動無線網から移動電話１へ確実に伝送できるように選定されている。通知時間インターバルが経過すると、プログラム点１２０へ分岐し、それ以外の場合はプログラム点１１５へ分岐する。プログラム点１２０で制御部１５は評価プロシージャをスタートする。この評価プロシージャは移動電話１のさらなるアクティベートを開始する。この評価プロシージャの終了後、次にプログラム点１２５へ分岐する。このプログラム点１２５で制御部１５は受信待機モードを、受信待機モードのアクティベート後の第３の所定時点で再び遮断する。これにより出発状態に再び到達する。ここでプログラム点１２０では開始されたアクティベートを、例えば移動電話１に対して移動無線網１９に到来したメッセージのシグナリングのようにさらに維持することができる。従ってプログラム点１０５では、オンインターバルがスイッチオンされ、このオンインターバルはプログラム点１２５で再び遮断され、オフインターバルと交代する。プログラム点１２５の後、プログラム点１４０へ分岐し、ここで制御部１５は、問い合わせ動作モードがユーザにより入力ユニット２０で遮断されたか否かを検査する。遮断された場合にはプログラムを去り、それ以外の場合はプログラム点１００へリターンする。
【００３８】
図３ａと３ｂはそれぞれ、評価プロシージャの可能な構造を示す。このような評価プロシージャに対する第１の例が図３ａに示されている。ここで制御部１５はプログラム点２００で、移動無線網１０から移動電話１へ通信時間インターバルで伝送された情報に基づき、この移動電話１に対して少なくとも１つのメッセージが移動無線網１０に存在するか否かを検査する。存在する場合にはプログラム点２０５へ分岐し、それ以外の場合は評価プロシージャを去る。プログラム点２０５で制御部は、移動電話１に対して移動無線網１９に少なくとも１つのメッセージが存在することを音響的および／または光学的に再生装置２５でシグナリングする。これは例えば発光ダイオードの点滅、ディスプレイでの表示および／または音響的信号、例えばスピーカでのトーンにより行われる。
【００３９】
図３ｂには、評価プロシージャに対する第２の例が示されている。ここで制御部１５はプログラム点３００で再び、移動無線網１０から通知時間インターバルの間に、移動無線網１０に少なくとも１つのメッセージがこの移動電話１に対して存在するという情報が移動電話１に伝送されたか否かを検査する。伝送された場合にはプログラム点３０５へ分岐し、それ以外の場合は評価プロシージャを去る。プログラム点３０５で制御部１５は、移動電話１に対して移動無線網１９に存在するメッセージがどのタイプであるかを検査する。制御部１５がプログラム点３０５で、少なくとも１つのメッセージがインターネットＥメールであることを検出すると、プログラム点３１０へ分岐し、続いてプログラム点３２５で送信装置３０により、移動無線網１０を介してインターネットサーバへの接続を形成する。このインターネットサーバにインターネットＥメールが記憶されている。続いてプログラム点３３０へ分岐し、ここでは移動電話１に対して存在する少なくとも１つのインターネットＥメールをインターネットサーバから移動無線網１０と受信装置５を介して移動電話１へロードする。続いてプログラム点３３５へ分岐し、ここで制御部１５は接続を切断する。続いてプログラム点３６０へ分岐し、ここで制御部１５は少なくとも１つのインターネットＥメールの到着を移動電話１で音響的および／または光学的に再生装置２５でシグナリングする。続いて評価プロシージャを去る。制御部１５がプログラム点３０５で、少なくとも１つの音声メッセージが例えばボイスメールの形態で移動無線網１０に移動電話１に対して存在することを検出すると、プログラム点３１５へ分岐する。続いてプログラム点３４０で制御部１５により、送信装置と移動無線網１０を介してボイスメールボックスへの接続が形成される。このボイスメールボックスには少なくとも１つのボイスメールが移動電話１に対して記憶されている。続いてプログラム点３４５で少なくとも１つのボイスメールがボイスメールボックスから移動無線網１０と受信装置５を介して移動電話１にロードされる。続いて制御部１６はプログラム点３５０で、形成された接続を切断する。続いてプログラム点３６０へ分岐し、少なくとも１つのボイスメールの到着が制御部１５によって再生装置２５で音響的および／または光学的にシグナリングされる。制御部１５がプログラム点３０５で、少なくとも１つのメッセージが移動電話１に対して移動無線網に存在し、これがインターネットＥメールでも、ボイスメールでもないことを識別すると、プログラム点３２０へ分岐する。続いて制御部１５はプログラム点３３５で送信装置３０ち移動無線網１０を介してサービスセンタへの接続を形成する。このサービスセンタには少なくとも１つの別のメッセージが記憶されている。この接続を介してこの少なくとも１つの別のメッセージは移動無線網０と受信装置５を介して移動電話１に伝送される。続いて制御部１５は形成された接続を切断する。続いてプログラム点３６０へ分岐し、ここで制御部１５は少なくとも１つの別のメッセージの到着を音響的および／または光学的に移動電話１の再生装置２５でシグナリングする。プログラム点３６０の後、評価プロシージャを去る。
【００４０】
移動電話１に移動無線網１０からロードされたメッセージのさらなる処理は受信待機モードが遮断されている場合でも行うことができる。ロードされたメッセージの音響的および／または光学的シグナリングを継続したり、またはロードされたメッセージの内容を音響的および／または光学的に再生装置２５で再生したりできる。ここでシグナリングの継続は所定時間後に自動的に、または入力ユニット２０でのユーザ操作によって終了することができる。ロードされたメッセージの内容の再生は同様に入力ユニット２０を介してユーザが初期化することができ、例えば付加的に再生装置２５を介してメニュー制御で行われる。ロードされたメッセージの自動シーケンシャル再生を制御部１５により行うことも考えられる。例えばロードされたメッセージの各内容を所定時間の間、再生装置２５で完全にまたは部分的に再生することができ、これはユーザにより必要に応じて入力ユニット２０を介して延長することもできる。
【００４１】
少なくとも１つの第１所定時間、第２所定時間、第３所定時間および第４所定時間はユーザにより入力ユニット２０で設定することができ、また制御部１５に予調整することができる。
【図面の簡単な説明】
【図１】  図１は、本発明の移動遠隔通信端末機器のブロック回路図である。
【図２】  図２は、移動遠隔通信端末機器の制御部の機能に対するフローチャートである。
【図３ａ】  図３ａは、移動遠隔通信端末機器に対して遠隔通信網に存在するメッセージを評価する第１の形式に対するフローチャートである。
【図３ｂ】  図３ｂは、移動遠隔通信端末機器に対して遠隔通信網に存在するメッセージを評価する第２の形式に対するフローチャートである。
【図１】
0004873593.tif 000002
【図２】
0004873593.tif 000003
【図３ａ】
0004873593.tif 000004
【図３ｂ】
0004873593.tif 000005